【事件の表示】
　特許第５７４７９５１号発明「インクジェット記録用インクセット、インクジェット記録方法、記録物」の特許異議申立事件について、次のとおり決定する。
【結　論】
　特許第５７４７９５１号の特許請求の範囲を訂正請求書に添付された特許請求の範囲のとおり訂正することを認める。
　特許第５７４７９５１号の請求項に係る特許を維持する。
【理　由】
　
１　手続の経緯
　特許第５７４７９５１号の請求項１〜７に係る特許についての出願は、平成１９年１２月２０日（優先権主張　平成１９年３月２２日、日本国）を出願日とする出願である特願２００７−３２９０４５号の一部を平成２５年６月２１日に新たな特許出願としたものであって、平成２７年５月２２日にその特許権の設定登録がされ、その後、その特許について、特許異議申立人大野裕子により特許異議の申立てがなされ、平成２８年３月２２日付けで取消理由が通知され、その指定期間内である同年５月２３日に意見書の提出及び訂正の請求があったものである。
２　訂正の適否についての判断
（１）　訂正の内容
　本件訂正請求による訂正の内容は以下のア〜オのとおりである。（当審注：下線は、補正箇所を示すものであり、被請求人が付したものである。）
　　ア　請求項１に係る「前記イエローインク組成物が、着色剤として、前記イエローインク組成物は、Ｃ．Ｉ．ピグメントイエロー２１３を含むイエローインク組成物であり」を、「前記イエローインク組成物が、着色剤とし
てＣ
　　イ　請求項１に係る「イエローインク組成物であり、」を、「イエローインク組成物であり、
前記イエローインク組成物に含まれる前記Ｃ．Ｉ．ピグメントイエロー２１３の含有量が２〜８重量％であり、
　　ウ　請求項１に係る「前記シアンインク組成物がフタロシアニン顔料を含み、」を、「前記シアンインク組成物がフタロシアニン顔料
としてＣ．Ｉ．ピグメントブルー１５：３
　　エ　請求項１に係る「前記マゼンタインク組成物がキナクリドン顔料を含み、」を、「前記マゼンタインク組成物がキナクリドン顔料
としてＣ．Ｉ．ピグメントレッド１２２
　　オ　請求項２に係る「顔料の含有量が２〜８重量％である」を、「顔料の含有量が
４
（２）　訂正の目的の適否、一群の請求項、新規事項の有無、及び特許請求の範囲の拡張・変更の存否
　　ア　上記（１）アの訂正は、明らかに主語が重複するため、そのうちの一つを削除するものであり、明瞭でない記載の釈明を目的とする訂正であって、新規事項の追加に該当せず、実質上特許請求の範囲を拡張し、又は変更するものでもない。
　　イ　上記（１）イの訂正事項に関連する記載として、特許明細書の発明の詳細な説明には、イエローインク組成物に含まれる「Ｃ．Ｉ．ピグメントイエロー２１３」などの顔料の含有量について、「２〜８重量％であることが更に好ましい」旨記載されている（【００１６】〜【００１８】）ことから、「イエローインク組成物に含まれるＣ．Ｉ．ピグメントイエロー２１３の含有量」として「２〜８重量％」とする発明は、特許明細書に記載されているものと認められる。
　また、上記（１）イの訂正は、特許明細書に記載された事項の範囲内において、イエローインク組成物に含まれるＣ．Ｉ．ピグメントイエロー２１３の含有量を具体的に限定したものといえるから、特許請求の範囲の減縮を目的とするものであって、新規事項の追加に該当せず、また、実質上特許請求の範囲を拡張し、又は変更するものではない。
　　ウ　上記（１）ウの訂正事項に関連する記載として、特許明細書の発明の詳細な説明には、「フタロシアニン顔料」について、「例えば、
Ｃ．Ｉ．ピグメントブルー
１５：３
　また、上記（１）ウの訂正は、特許明細書に記載された事項の範囲内において、シアンインク組成物に含まれるフタロシアニン顔料の種類を具体的に限定したものといえるから、特許請求の範囲の減縮を目的とするものであって、新規事項の追加に該当せず、また、実質上特許請求の範囲を拡張し、又は変更するものではない。
　　エ　上記（１）エの訂正事項に関連する記載として、特許明細書の発明の詳細な説明には、「キナクリドン顔料」について、「例えば、
Ｃ．Ｉ．ピグメントレッド
１２２
　また、上記（１）エの訂正は、特許明細書に記載された事項の範囲内において、マゼンタインク組成物に含まれるキナクリドン顔料の種類を具体的に限定したものといえるから、特許請求の範囲の減縮を目的とするものであって、新規事項の追加に該当せず、また、実質上特許請求の範囲を拡張し、又は変更するものではない。
　　オ　上記（１）オの訂正事項に関連する記載として、特許明細書の発明の詳細な説明には、イエローインク組成物に含まれる「Ｃ．Ｉ．ピグメントイエロー２１３」などの顔料の含有量について、「２〜８重量％であることが更に好ましい」旨記載されている（【００１６】〜【００１８】）こと、また、イエローインク組成物である実施例１の「イエローインクＹ１」は、Ｃ．Ｉ．ピグメントイエロー２１３（Ｐ．Ｙ．２１３）を４重量％含むこと（【００６３】【表１】）から、「イエローインク組成物に含まれる顔料の含有量」として「４〜８重量％」とする発明は、特許明細書に記載されているものと認められる。
　また、上記（１）オの訂正は、特許明細書に記載された事項の範囲内において、イエローインク組成物に含まれるＣ．Ｉ．ピグメントイエロー２１３の含有量の数値範囲をさらに狭く限定したものといえるから、特許請求の範囲の減縮を目的とするものであって、新規事項の追加に該当せず、また、実質上特許請求の範囲を拡張し、又は変更するものではない。
　　カ　そして、これらの訂正は一群の請求項ごとに請求されたものである。
（３）　小括
　以上のとおりであるから、本件訂正請求による訂正は特許法第１２０条の５第２項ただし書第１号及び第３号に掲げる事項を目的とするものであり、かつ、同条第４項、並びに同条第９項において準用する同法第１２６条第５項及び第６項の規定に適合するので、訂正後の請求項１〜７について、訂正を認める。
３　特許異議の申立てについて
（１）本件発明
　本件訂正請求により訂正された訂正請求項１〜７に係る発明（以下「本件発明１〜７」という。）は、その特許請求の範囲の請求項１〜７に記載された次の事項により特定されるとおりのものである。
「【請求項１】
　イエローインク組成物、シアンインク組成物、マゼンタインク組成物及びブラックインク組成物を備えたインクジェット記録用インクセットであって、
　前記イエローインク組成物が、着色剤としてＣ．Ｉ．ピグメントイエロー２１３を含むイエローインク組成物であり、前記イエローインク組成物に含まれる前記Ｃ．Ｉ．ピグメントイエロー２１３の含有量が２〜８重量％であり、
　前記シアンインク組成物がフタロシアニン顔料としてＣ．Ｉ．ピグメントブルー１５：３を含み、
　前記マゼンタインク組成物がキナクリドン顔料としてＣ．Ｉ．ピグメントレッド１２２を含み、
　前記ブラックインク組成物がカーボンブラックを含む、インクセット。
【請求項２】
　前記イエローインク組成物に含まれる顔料の含有量が４〜８重量％である、請求項１に記載のインクセット。
【請求項３】
　前記イエローインク組成物、前記シアンインク組成物、前記マゼンダインク組成物及び前記ブラックインク組成物は、放射線非硬化型のインク組成物である、請求項１または２に記載のインクセット。
【請求項４】
　前記シアンインク組成物の前記フタロシアニン顔料の含有量は０．１〜１．３重量％であり、前記マゼンダインク組成物の前記キナクリドン顔料の含有量は０．１〜１．３重量％である、請求項１〜３のいずれか１項に記載のインクセット。
【請求項５】
　前記ブラックインク組成物が、そのカーボンブラックの濃度が、１．５重量％以上であるブラックインク組成物、１．５重量％未満〜０．６重量％以上であるブラックインク組成物および０．６重量％未満であるブラックインク組成物からなる群から選択された１種以上を備えた、請求項１〜４のいずれか１項に記載のインクセット。
【請求項６】
　インク組成物の液滴を吐出し、該液滴を記録媒体に付着させて印刷を行うインクジェット記録方法であって、該インク組成物として、請求項１〜５のいずれか１項に記載のインクセットに備えられるインク組成物を用いるインクジェット記録方法。
【請求項７】
　請求項６に記載のインクジェット記録方法によって記録が行われた記録物。」
（２）　取消理由の概要
　訂正前の請求項１〜７に係る特許に対して平成２８年３月２２日付けで特許権者に通知した取消理由の要旨は次のとおりである。
　　ア　請求項１〜７に係る発明は、甲第１号証に記載された発明、甲第１号証の記載事項、甲第５号証、引用文献Ａ、Ｂ、Ｃ、及びＤに記載された周知の技術事項、引用文献Ｄに記載された公知の技術事項に基いて当業者が容易に発明をすることができたものであるから、特許法第２９条第２項の規定により特許を受けることができないものであり、同項に係る特許は、取り消されるべきものである。
　　イ　引用文献一覧
　甲第１号証：特表２００４−５３５５０８号公報
　甲第５号証：Industrial Organic Pigments, Third Edition, Willy Herbst, Klaus Hunger, WILEY-VCH Verlag GmbH  Co. KGaA, Weinheim, 2004, pp.572-573、及び抄訳
　引用文献Ａ：特開２００６−１１７９３１号公報
　引用文献Ｂ：特表２００７−５０５１７７号公報
　引用文献Ｃ：再公表特許第０１／０４８１００号公報
　引用文献Ｄ：特開２００５−９６１９４号公報
（３）　甲号証及び引用文献の記載
　　ア　甲第１号証（特表２００４−５３５５０８号公報）には、以下の記載が認められる。
「【請求項１】
アクリレート樹脂が、本質的に５０から８０モル％のモノアルケニル芳香族化合物および２０から５０モル％のアクリレートからなる共重合体であって、１，０００と５０，０００ｇ／モルの間の平均モル質量Ｍｖを有しており、分散助剤が、式（Ｉ）
Ｒ−Ｏ−（ＣＨ２−ＣＨ２−Ｏ）ｍ−ＣＨ２−ＣＯＯＭ　　（Ｉ）
（式中、
Ｒは、Ｃ１０〜Ｃ２０のアルキル基またはＣ１０〜Ｃ２０のアルケニル基であり、
ｍは、１から１５の数字であり、そして
Ｍは、１価のカチオンである）の化合物である、前記アクリレート樹脂の溶液および前記分散助剤中に分散した有機および／または無機顔料を含む水性顔料調製物。
・・・（中略）・・・
【請求項９】
いずれの場合も、前記顔料調製物の全体の重量を基準として、
ａ）５から５０重量％、好ましくは、１５から２５重量％の顔料と、
ｂ）０．２５から２０重量％、好ましくは、１から１０重量％のアクリレート樹脂と、
ｃ）１から１２重量％、好ましくは、２から８重量％の式（Ｉ）の化合物と、
ｄ）５から６０重量％、好ましくは、１０から４０重量％の水と、
ｅ）０から１０重量％、好ましくは、０．１から５重量％の有機溶媒と、
ｆ）０から１５重量％、好ましくは、５から９重量％の水親和性物質と、
ｇ）０から１０重量％、好ましくは、０．５から９．５重量％のさらなる通例の添加剤とからなる請求項１から８の少なくとも一項に記載の顔料調製物。
・・・（中略）・・・
【請求項１２】
少なくとも１つの調製物が、請求項１から９の一項または複数項に記載の水性顔料調製物である、黒、シアン、マゼンタ、および黄の前記各色の着色料調製物の少なくとも１つを含む着色料調製物のセット。
【請求項１３】
黒の着色料調製物の着色料が、カーボンブラック、好ましくは、ガスブラックまたはファーネスブラックであり、
シアンの着色料調製物の着色料が、フタロシアニン顔料、好ましくは、カラーインデックスＰ．Ｂｌｕｅ　１５、Ｐ．Ｂｌｕｅ　１５：３またはＰ．Ｂｌｕｅ　１５：４の群からの顔料であり、
マゼンタの着色料調製物の着色料が、キナクリドン顔料、好ましくは、カラーインデックスＰ．Ｒｅｄ　１２２またはＰ．Ｖｉｏｌｅｔ　１９の群からの顔料であるか、または、モノアゾ顔料、ジスアゾ顔料、イソインドリン顔料またはベンゾイミダゾール顔料、好ましくは、カラーインデックスＰ．Ｒｅｄ　５７：１、Ｐ．Ｒｅｄ　１４６、Ｐ．Ｒｅｄ　１７６、Ｐ．Ｒｅｄ　１８４、Ｐ．Ｒｅｄ　１８５またはＰ．Ｒｅｄ　２６９の群からの顔料であり、
黄色の着色料調製物の着色料が、モノアゾ顔料、ジスアゾ顔料、イソインドリン顔料またはベンゾイミダゾール顔料、好ましくは、カラーインデックスＰ．Ｙｅｌｌｏｗ　１７、Ｐ．Ｙｅｌｌｏｗ　７４、Ｐ．Ｙｅｌｌｏｗ　８３、Ｐ．Ｙｅｌｌｏｗ　９７、Ｐ．Ｙｅｌｌｏｗ　１２０、Ｐ．Ｙｅｌｌｏｗ　１２８、Ｐ．Ｙｅｌｌｏｗ　１３９、Ｐ．Ｙｅｌｌｏｗ　１５１、Ｐ．Ｙｅｌｌｏｗ　１５５、Ｐ．Ｙｅｌｌｏｗ　１８０またはＰ．Ｙｅｌｌｏｗ　２１３の群からの顔料である請求項１２に記載の着色料調製物のセット。
【請求項１４】
それぞれの着色料調製物が、各々印刷インク、特にインクジェットインクである請求項１２または１３に記載の着色料調製物のセット。」
「【背景技術】
【０００２】
インクジェット法は、非接触印刷法であって、記録用液体の液滴が１つまたは複数のノズルから印刷すべき基体上に導かれる。高い鮮明度および解像度の印刷を得るために、そこに存在する記録用液体および着色料は、特に、純度、粒子の細かさ、貯蔵安定性、粘度、表面張力、伝導度等の厳密な要求を満たすことが必要である。非常に厳密な要求は、特に、色強度、色調、光沢、および、たとえば、耐光性、耐水性、耐摩性等の堅ろう度特性に課せられる。特に高い耐光性は、屋外でのインクジェットの適用および写真画質を有するインクジェット印刷物の作製にとって重要である。
【０００３】
色調、光沢、色強度、耐光性、および耐水性の必要な組合せを発揮する染料の開発が非常に困難であることがこれまでに証明された結果として、興味の高まりは顔料インクに集中しつつある。
【０００４】
今日までに知られている顔料着色のインクジェット用調製物は、微細分散化、熱安定性および貯蔵安定性の不足、ならびに、特にサーマルプリンタにおける不十分な印刷適性を示すことが多く、インクジェット業界が課す要求を満たさないことが多い。
【０００５】
インクジェット用調製物の１つの重要な品質基準は、その凝集に対する安定性である。ノズルを詰まらせないために、顔料粒子は、０．５μｍ未満、好ましくは０．１μｍ未満の大きさでなければならない。さらに、結晶成長または粒子のアグロメレーションを効果的に避けなければならない。これは、一般に一定の分散助剤を使用することによって達成される。インクジェットインクを印刷するとき、インクは高速でノズルの中を流れる。せん断および温度の影響の結果、安定化分散助剤は、しばしば顔料表面から除去される。顔料は凝集してプリンタのノズルを詰まらせる。もうひとつのインクジェットインクの品質の要点は、その貯蔵安定性であって、顔料粒子は貯蔵の過程でアグロメレートしてより大きな粒子を形成してはならない。
【発明の開示】
【発明が解決しようとする課題】
【０００６】
したがって、本発明の目的は、微細分散化、熱安定性、貯蔵安定性、印刷適性、彩色等に関する上記の要求を満足させる顔料調製物を提供することである。」
「【００２４】
使用する顔料は、顔料粒子の好ましくは９５％、特に好ましくは９９％が、粒径≦５００ｎｍを有するように非常に細かく粉砕されているべきである。平均粒径は、好ましくは＜２００ｎｍである。使用する顔料によって顔料粒子の形態は広く変化し得るので、顔料調製物の粘度挙動は粒子の形状が作用して幅広く変化する場合がある。調製物の好ましい粘度挙動を得るために、粒子は、好ましくは、立方形または球形の形状を有するべきである。精製した顔料を好ましくは使用する。特に好ましい有機顔料の選択は、カーボンブラック顔料、たとえば、ガスブラックまたはファーネスブラック；モノアゾ顔料、ジスアゾ顔料およびベンゾイミダゾロン顔料、特に、カラーインデックス顔料Ｐｉｇｍｅｎｔ  Ｙｅｌｌｏｗ  １７、Ｐｉｇｍｅｎｔ  Ｙｅｌｌｏｗ  ７４、Ｐｉｇｍｅｎｔ  Ｙｅｌｌｏｗ  ８３、Ｐｉｇｍｅｎｔ  Ｙｅｌｌｏｗ  ９７、Ｐｉｇｍｅｎｔ  Ｙｅｌｌｏｗ  １２０、Ｐｉｇｍｅｎｔ  Ｙｅｌｌｏｗ  １２８、Ｐｉｇｍｅｎｔ  Ｙｅｌｌｏｗ  １３９、Ｐｉｇｍｅｎｔ  Ｙｅｌｌｏｗ  １５１、Ｐｉｇｍｅｎｔ  Ｙｅｌｌｏｗ  １５５、Ｐｉｇｍｅｎｔ  Ｙｅｌｌｏｗ  １８０、Ｐｉｇｍｅｎｔ  Ｙｅｌｌｏｗ  ２１３、Ｐｉｇｍｅｎｔ  Ｒｅｄ  ５７：１、Ｐｉｇｍｅｎｔ  Ｒｅｄ  １４６、Ｐｉｇｍｅｎｔ  Ｒｅｄ  １７６、Ｐｉｇｍｅｎｔ  Ｒｅｄ  １８４、Ｐｉｇｍｅｎｔ  Ｒｅｄ  １８５またはＰｉｇｍｅｎｔ  Ｒｅｄ  ２６９；フタロシアニン顔料、特にカラーインデックス顔料Ｐｉｇｍｅｎｔ  Ｂｌｕｅ  １５、Ｐｉｇｍｅｎｔ  Ｂｌｕｅ  １５：３またはＰｉｇｍｅｎｔ  Ｂｌｕｅ  １５：４およびキナクリドン顔料、特にカラーインデックス顔料Ｐｉｇｍｅｎｔ  Ｒｅｄ  １２２またはＰｉｇｍｅｎｔ  Ｖｉｏｌｅｔ  １９である。」
「【００３７】
粉体塗料材料としては、一般に、エポキシ樹脂、カルボキシル基および水酸基含有ポリエステル樹脂、ポリウレタン樹脂およびアクリル樹脂が通例の硬化剤と共に使用される。樹脂の組合せも使用される。たとえば、エポキシ樹脂は、カルボキシル基および水酸基含有ポリエステル樹脂との組合せで頻繁に使用される。一般的な硬化剤成分は、たとえば、酸無水物、イミダゾールならびにジシアンジアミドおよびそれらの誘導体、キャップしたイソシアナート、ビスアシルウレタン、フェノールおよびメラミン樹脂、トリグリシジルイソシアヌレート、オキサゾリン、ジカルボン酸等である。」
「【００４６】
本発明は、さらに、少なくとも１つの調製物が、本発明の調製物に相当する、黒、シアン、マゼンタ、および黄の各色の着色料調製物の少なくとも１つを含む顔料調製物のセットを提供する。
【００４７】
これに関連して、好ましい顔料調製物のセットとしては、黒の調製物が、着色料としてカーボンブラック、特に、ガスブラックまたはファーネスブラックを含み、シアンの調製物が、フタロシアニン顔料群からの顔料、特に、カラーインデックス顔料のＰｉｇｍｅｎｔ  Ｂｌｕｅ  １５、Ｐｉｇｍｅｎｔ  Ｂｌｕｅ  １５：３またはＰｉｇｍｅｎｔ  Ｂｌｕｅ  １５：４を含み、マゼンタの分散物が、キナクリドン顔料の群、好ましくは、カラーインデックスのＰｉｇｍｅｎｔ  Ｒｅｄ  １２２またはカラーインデックスのＰｉｇｍｅｎｔ  Ｖｉｏｌｅｔ  １９から、または、モノアゾ顔料、ジスアゾ顔料、イソインドリン顔料またはベンゾイミダゾール顔料の群、特に、カラーインデックス顔料のＰｉｇｍｅｎｔ  Ｒｅｄ  ５７：１、Ｐｉｇｍｅｎｔ  Ｒｅｄ  １４６、Ｐｉｇｍｅｎｔ  Ｒｅｄ  １７６、Ｐｉｇｍｅｎｔ  Ｒｅｄ  １８４、Ｐｉｇｍｅｎｔ  Ｒｅｄ  １８５またはＰｉｇｍｅｎｔ  Ｒｅｄ  ２６９からの顔料を含み、そして黄の調製物が、好ましくは、モノアゾ顔料、ジスアゾ顔料、イソインドリン顔料またはベンゾイミダゾール顔料の群、特に、カラーインデックス顔料の、Ｐｉｇｍｅｎｔ  Ｙｅｌｌｏｗ  １７、Ｐｉｇｍｅｎｔ  Ｙｅｌｌｏｗ  ７４、Ｐｉｇｍｅｎｔ  Ｙｅｌｌｏｗ  ８３、Ｐｉｇｍｅｎｔ  Ｙｅｌｌｏｗ  ９７、Ｐｉｇｍｅｎｔ  Ｙｅｌｌｏｗ  １２０、Ｐｉｇｍｅｎｔ  Ｙｅｌｌｏｗ  １２８、Ｐｉｇｍｅｎｔ  Ｙｅｌｌｏｗ  １３９、Ｐｉｇｍｅｎｔ  Ｙｅｌｌｏｗ  １５１、Ｐｉｇｍｅｎｔ  Ｙｅｌｌｏｗ  １５５、Ｐｉｇｍｅｎｔ  Ｙｅｌｌｏｗ  １８０またはＰｉｇｍｅｎｔ  Ｙｅｌｌｏｗ  ２１３からの顔料を含む調製物のセットが好ましい。」
　　イ　甲第５号証〔Industrial Organic Pigments, Third Edition, Willy Herbst, Klaus Hunger, WILEY-VCH Verlag GmbH  Co. KGaA, Weinheim, 2004, pp.572-573（「抄訳」参照。〕には、以下の記載が認められる。
「ピグメントイエロー２１３
Ｐ．Ｙ．２１３の化学的構造は、構造番号１１８７５でカラーインデックス中にリストされている。
（・・・中略・・・）
新たに掲載されたＰ．Ｙ．２１３は、少なくともＰ．Ｙ．１５４と同等の、良好な隠蔽力と際だった耐光性及び耐候性を備えた緑色帯びたイエロー顔料である。この製品は、塗料用途に使用される主要な溶剤に対して完全な耐性を持っている。Ｐ．Ｙ．２１３は主に塗料に使用される。これは、ブチルグリコールまたはＮＭＰのような共溶剤に対する耐性に関して、水系のベースコート系中においてＰ．Ｙ．１５４に対して明らかな利点を示す。淡い色調（１：５０ＴｉＯ２）でフロリダで２年間暴露した後でさえ、グレースケールのステップ５同等であることが確認された。濃度とは無関係に、Ｐ．Ｙ．２１３は、自動車の塗装を初めとした溶剤系及び水系の両方のハイグレード工業用塗料の全てに推奨される。１８０℃の焼き付け温度まで、上塗りに対する耐性も優れている。熱安定性も優れているため、この顔料は、屋外使用などの制限はなく、粉体塗料及びコイル塗装の用途に使用できる。また、使用分野には、被覆及び塗装工業全体の他の通常の媒体、例えば建築用塗料及びエマルションペイントなども含まれる。　Ｐ．Ｙ．２１３は、高い耐光性及び耐候性が必要などのような場合でも使用される。」
　　ウ　引用文献Ａ（特開２００６−１１７９３１号公報）には、以下の記載が認められる。
「【請求項１】
　低減された示差的光褪色と低減された粒状度をもたらすインクセットであって、
　高色度且つ低耐光性の少なくとも１つの顔料を含んで成る少なくとも１つの濃色インクジェットインクと、
　高耐光性且つ低彩度の少なくとも１つの顔料を含んで成る少なくとも１つの淡色インクジェットインクと、
　を含み、前記少なくとも１つの濃色インクジェットインク中の前記少なくとも１つの顔料が、前記少なくとも１つの淡色インクジェットインク中の前記少なくとも１つの顔料と、結晶形態、粒径、発色団、及び化学分散剤のうちの１つにおいて異なる、インクセット。
（・・・中略・・・）
【請求項５】
　前記少なくとも１つの濃色インクジェットインク中の前記少なくとも１つの顔料が、Ｐｉｇｍｅｎｔ　Ｙｅｌｌｏｗ　３、Ｐｉｇｍｅｎｔ　Ｙｅｌｌｏｗ　１６、Ｐｉｇｍｅｎｔ　Ｙｅｌｌｏｗ　７３、Ｐｉｇｍｅｎｔ　Ｙｅｌｌｏｗ　７４、Ｐｉｇｍｅｎｔ　Ｙｅｌｌｏｗ　８１、Ｐｉｇｍｅｎｔ　Ｙｅｌｌｏｗ　８３、Ｐｉｇｍｅｎｔ　Ｙｅｌｌｏｗ　９３、Ｐｉｇｍｅｎｔ　Ｙｅｌｌｏｗ　９７、Ｐｉｇｍｅｎｔ　Ｙｅｌｌｏｗ　１１０、Ｐｉｇｍｅｎｔ　Ｙｅｌｌｏｗ　１８０、Ｐｉｇｍｅｎｔ　Ｙｅｌｌｏｗ　１９４、Ｐｉｇｍｅｎｔ　Ｒｅｄ　１１２、Ｐｉｇｍｅｎｔ　Ｒｅｄ　１７０、Ｐｉｇｍｅｎｔ　Ｒｅｄ　１７５、Ｐｉｇｍｅｎｔ　Ｒｅｄ　１８８、Ｐｉｇｍｅｎｔ　Ｒｅｄ　２０９、Ｐｉｇｍｅｎｔ　Ｒｅｄ　２５３、Ｐｉｇｍｅｎｔ　Ｒｅｄ　２５６、Ｐｉｇｍｅｎｔ　Ｙｅｌｌｏｗ　１２８、Ｐｉｇｍｅｎｔ　Ｙｅｌｌｏｗ　１５５、Ｐｉｇｍｅｎｔ　Ｙｅｌｌｏｗ　２１３、Ｐｉｇｍｅｎｔ　Ｖｉｏｌｅｔ　１９（γ−修飾）、Ｐｉｇｍｅｎｔ　Ｒｅｄ　１２２、Ｐｉｇｍｅｎｔ　Ｒｅｄ　２５４、Ｐｉｇｍｅｎｔ　Ｂｌｕｅ　１５：３、及びＰｉｇｍｅｎｔ　Ｂｌｕｅ　１５：４から成る群から選択される、請求項１〜４の何れか１項に記載のインクセット。
【請求項６】
　前記少なくとも１つの淡色インクジェットインク中の前記少なくとも１つの顔料が、Ｐｉｇｍｅｎｔ　Ｙｅｌｌｏｗ　１２０、Ｐｉｇｍｅｎｔ　Ｙｅｌｌｏｗ　１２８、Ｐｉｇｍｅｎｔ　Ｙｅｌｌｏｗ　１５０、Ｐｉｇｍｅｎｔ　Ｙｅｌｌｏｗ　１５１、Ｐｉｇｍｅｎｔ　Ｙｅｌｌｏｗ　１５４、Ｐｉｇｍｅｎｔ　Ｙｅｌｌｏｗ　１５５、Ｐｉｇｍｅｎｔ　Ｙｅｌｌｏｗ　１７３、Ｐｉｇｍｅｎｔ　Ｙｅｌｌｏｗ　２１３、Ｐｉｇｍｅｎｔ　Ｒｅｄ　１７７、Ｐｉｇｍｅｎｔ　Ｒｅｄ　２０２、Ｐｉｇｍｅｎｔ　Ｒｅｄ　２０６、Ｐｉｇｍｅｎｔ　Ｒｅｄ　２０７、Ｐｉｇｍｅｎｔ　Ｒｅｄ　２１４、Ｐｉｇｍｅｎｔ　Ｒｅｄ　２４２、Ｐｉｇｍｅｎｔ　Ｒｅｄ　２５７、Ｐｉｇｍｅｎｔ　Ｒｅｄ　１２２、Ｐｉｇｍｅｎｔ　Ｖｉｏｌｅｔ　１９（β−修飾）、Ｐｉｇｍｅｎｔ　Ｖｉｏｌｅｔ　２３、Ｐｉｇｍｅｎｔ　Ｂｌｕｅ　１５：３、Ｐｉｇｍｅｎｔ　Ｂｌｕｅ　１５：４、Ｐｉｇｍｅｎｔ　Ｇｒｅｅｎ　７、Ｐｉｇｍｅｎｔ　Ｇｒｅｅｎ　３６、Ｐｉｇｍｅｎｔ　Ｙｅｌｌｏｗ　１２８、Ｐｉｇｍｅｎｔ　Ｙｅｌｌｏｗ　１５５、Ｐｉｇｍｅｎｔ　Ｖｉｏｌｅｔ　１９（γ−修飾）、及びＰｉｇｍｅｎｔ　Ｒｅｄ　２５４から成る群から選択される、請求項１〜４の何れか１項に記載のインクセット。」
「【００３６】
　淡色インクジェットインクに使用される顔料は、光褪色及びがス褪色に対して十分な耐性を示すことができる。典型的に、褪色耐性である顔料は、色彩がそれ程高くない。淡色インクジェットインク中の顔料の耐光性は、ブルーウールスケール上で７〜８の値とし得る。この範囲内の顔料の例としては、限定するものではないが、Ｐｉｇｍｅｎｔ　Ｙｅｌｌｏｗ　１２０、Ｐｉｇｍｅｎｔ　Ｙｅｌｌｏｗ　１２８、Ｐｉｇｍｅｎｔ　Ｙｅｌｌｏｗ　１５０、Ｐｉｇｍｅｎｔ　Ｙｅｌｌｏｗ　１５１、Ｐｉｇｍｅｎｔ　Ｙｅｌｌｏｗ　１５４、Ｐｉｇｍｅｎｔ　Ｙｅｌｌｏｗ　１５５、Ｐｉｇｍｅｎｔ　Ｙｅｌｌｏｗ　１７３、Ｐｉｇｍｅｎｔ　Ｙｅｌｌｏｗ　２１３、Ｐｉｇｍｅｎｔ　Ｒｅｄ　１６８、Ｐｉｇｍｅｎｔ　Ｒｅｄ　１７７、Ｐｉｇｍｅｎｔ　Ｒｅｄ　２０２、Ｐｉｇｍｅｎｔ　Ｒｅｄ　２０６、Ｐｉｇｍｅｎｔ　Ｒｅｄ　２０７、Ｐｉｇｍｅｎｔ　Ｒｅｄ　２１４、Ｐｉｇｍｅｎｔ　Ｒｅｄ　２４２、Ｐｉｇｍｅｎｔ　Ｒｅｄ　２５７、Ｐｉｇｍｅｎｔ　Ｒｅｄ　１２２、Ｐｉｇｍｅｎｔ　Ｖｉｏｌｅｔ　１９（β−修飾）、Ｐｉｇｍｅｎｔ　Ｖｉｏｌｅｔ　２３、Ｐｉｇｍｅｎｔ　Ｂｌｕｅ　１５：３、Ｐｉｇｍｅｎｔ　Ｂｌｕｅ　１５：４、Ｐｉｇｍｅｎｔ　Ｂｌｕｅ　６０、Ｐｉｇｍｅｎｔ　Ｇｒｅｅｎ　７、及びＰｉｇｍｅｎｔ　Ｇｒｅｅｎ　３６が挙げられる。イエロー顔料の各々は、異なる発色団を有し且つ約１５０ｎｍ未満の粒径を有する。
【００３７】
　幾つかの顔料は、顔料の結晶形態又は粒径に依存して、濃色又は淡色インクジェットインクのいずれかに使用することができる。例えば、Ｐｉｇｍｅｎｔ　Ｙｅｌｌｏｗ　１２８、Ｐｉｇｍｅｎｔ　Ｙｅｌｌｏｗ　１５５、Ｐｉｇｍｅｎｔ　Ｙｅｌｌｏｗ　２１３、Ｐｉｇｍｅｎｔ　Ｖｉｏｌｅｔ　１９（γ−修飾）、Ｐｉｇｍｅｎｔ　Ｒｅｄ　１２２、Ｐｉｇｍｅｎｔ　Ｒｅｄ　２５４、Ｐｉｇｍｅｎｔ　Ｂｌｕｅ　１５：３、又はＰｉｇｍｅｎｔ　Ｂｌｕｅ　１５：４の適切な形態のものを濃色及び淡色インクジェットインクに用いることができる。Ｐｉｇｍｅｎｔ　Ｂｌｕｅ　１５：３及びＰｉｇｍｅｎｔ　Ｂｌｕｅ　１５：４は、熱力学的に最も安定な結晶形態であるβ修飾の銅フタロシアニンブルーである。Ｐｉｇｍｅｎｔ　Ｂｌｕｅ　１５：４は、凝集に対する安定性を改善するべく表面処理されている。これらの顔料の粒径が約５０ｎｍ以下のように小さい場合、これらの顔料のほとんどの耐光性は、ブルーウールスケール上で約１単位ほど低くなる。Ｐｉｇｍｅｎｔ　Ｖｉｏｌｅｔ　１９の耐光性の場合には、γ−修飾のものは粒径の影響を受けるが、β−修飾のものは相対的に粒径に無感応である。これらの顔料の適切な形態を用いる場合は、それらを、濃色インクジェットインク又は淡色インクジェットインクにおける使用に関して先に規定し且つ説明した顔料と共に使用することができる。換言すれば、耐光性が比較的低く且つ６〜７の範囲のブルーウールスケール値を有するこれらの顔料の小粒径のものを、７〜８の範囲のブルーウールスケール値を有する比較的高い耐光性の顔料と組み合わせて濃色インクジェットインクに用いることができる。同様に、７〜８の範囲のブルーウールスケール値を有するこれらの顔料の比較的大粒径且つ高耐光性の形態のものを、６〜７の範囲のブルーウールスケール値を有する高色彩且つ耐光性の比較的低い顔料と組み合わせて淡色インクジェットインクに用いることができる。
【００３８】
　単に例を挙げると、約８０ｎｍの粒径とブルーウールスケール上で６〜７の範囲の耐光性値を有するモノアゾタイプのＰｉｇｍｅｎｔ　Ｙｅｌｌｏｗ　７４を濃色インクジェットインクに用い，一方、約８０ｎｍの粒径とブルーウールスケール上で８という耐光性値を有するベンズイミダゾロンタイプのＰｉｇｍｅｎｔ　Ｙｅｌｌｏｗ　２１３を淡色インクジェットインクに用いることができる。他の例では、約１００ｎｍの粒径とブルーウールスケール上で７という耐光性値を有するＰｉｇｍｅｎｔ　Ｙｅｌｌｏｗ　９３を濃色インクジェットインクに用い、そして約８０ｎｍの粒径とブルーウールスケール上で８という耐光性値を有するＰｉｇｍｅｎｔ　Ｙｅｌｌｏｗ　１２８を淡色インクジェットインクに用いることができる。他の例では、約１００ｎｍの粒径とブルーウールスケール上で８という耐光性値を有するＰｉｇｍｅｎｔ　Ｒｅｄ　２０２を淡色インクジェットインクに用い、そして約６０ｎｍの粒径とブルーウールスケール上で７という耐光性値を有するＰｉｇｍｅｎｔ　Ｒｅｄ　２０９を濃色インクジェットインクに用いることができる。」
「【００４０】
　また、濃色インクジェットインクを希釈することによって淡色インクジェットインクを生成することができる。あるいはまた、インクビヒクル中に比較的少量の顔料を分散させることによって淡色インクジェットインクを生成することもできる。顔料は、淡色インクジェットインク全重量の約０．０５ｗｔ％〜約５ｗｔ％の範囲の量又は濃度で淡色インクジェットインク中に存在し得る。」
「【００４３】
　印刷画像において耐光性のイエローの色調を生成できるように、濃色イエローインクジェットインクと淡色イエローインクジェットインクを印刷媒体上に適用することができる。一実施形態では、淡色イエローインクジェットインクは、Ｐｉｇｍｅｎｔ　Ｙｅｌｌｏｗ　１２８、Ｐｉｇｍｅｎｔ　Ｙｅｌｌｏｗ　１５５、Ｐｉｇｍｅｎｔ　Ｙｅｌｌｏｗ　２１３、又はそれらの混合物を含み、そして濃色イエローインクジェットインクは、Ｐｉｇｍｅｎｔ　Ｙｅｌｌｏｗ　７４を含む。これらのイエロー顔料の各々は、それらの発色団が異なるものである。濃色インクジェットインクは、約４．０％のＰｉｇｍｅｎｔ　Ｙｅｌｌｏｗ　７４を含み、一方、淡色インクジェットインクは、約２．０％のＰｉｇｍｅｎｔ　Ｙｅｌｌｏｗ　１２８及びＰｉｇｍｅｎｔ　Ｙｅｌｌｏｗ　２１３を含む。印刷された画像が、在来の屋内照明条件のような、可視光に曝される場合、濃色イエローインクジェットインクで印刷された領域では約２０年で感知し得る褪色が起こり得るが、一方、淡色イエローインクジェットインクで印刷された領域は約５０年で感知し得る褪色を呈し得る。従って、印刷画像は、２０年後に褪色し得る。」
「【実施例１】
【００５１】
濃色及び淡色インクジェットインクの調製
　表１〜表４記載の顔料の組合せを利用して、濃色及び淡色インクジェットインクを調製する。
【００５２】
【表１】（略）
【００５３】
【表２】
【００５４】
【表３】
【００５５】
【表４】
【００５６】
　表１〜表４に記載したインクジェットインクは、当分野で周知のように調合される。
【００５７】
　実施例１記載の濃色及び淡色インクジェットインクは、ＨＰ　Ｐｒｅｍｉｕｍ　Ｐｌｕｓ　Ｐｈｏｔｏ用紙に印刷する。得られた印刷画像は、示差的光褪色及び粒状性の低減を示し、且つ、写真品質に近い印刷品質を有する印刷画像を実現するであろう。」
　　エ　引用文献Ｂ（特表２００７−５０５１７７号公報）には、以下の記載が認められる。
「【請求項１】
　Ｃ．Ｉ．Ｐｉｇｍｅｎｔ　Ｙｅｌｌｏｗ　２１３、Ｐｉｇｍｅｎｔ　Ｙｅｌｌｏｗ　２１４及び式（Ｉ）
【化１】（略）
のジスアゾ顔料の群から得られる、一又は複数の有機黄色顔料と、一又は複数の無機顔料とを含む顔料組成物。」
「【００１４】
　本発明の顔料組成物では、前記有機黄色顔料は、好ましくは、Ｃ．Ｉ．Ｐｉｇｍｅｎｔ　Ｙｅｌｌｏｗ　２１３又は式（Ｉ）のジスアゾ顔料であり、特にＣ．Ｉ．Ｐｉｇｍｅｎｔ　Ｙｅｌｌｏｗ　２１３である。」
「【００３３】
　本発明の顔料組成物は、傑出した色及び流動特性、特に高い凝集安定性、分散のし易さ、流動性及び優れた色度が注目に値する。本発明の顔料組成物は、容易に分散することができ、多くの塗布媒体中で高レベルの精細さまで分散することができる。このような顔料分散物は、塗料濃縮物の高レベルの着色においても、傑出した流動特性を示す。優れた上塗り堅牢度、溶媒堅牢度、耐アルカリ性、耐光堅牢度及び耐候性特性、並びに極めて美しい色合いなど、他の上記特性も極めて優れている。さらに、本発明の顔料組成物には、特にこれらの顔料で着色された基材が焼却される場合に、塩素化された分解産物から有害物質が発生しないというさらなる利点を有する無塩素顔料組成物も含まれる。」
　　オ　引用文献Ｃ（再公表特許第０１／０４８１００号公報）には、以下の記載が認められる。
「【請求項１】　相互に同一色であるが色の濃度の異なる濃インク組成物及び淡インク組成物を含有するインクセットであって、
　前記濃インク組成物及び前記淡インク組成物が何れも、着色剤としての顔料及び分散剤としての樹脂を少なくとも含み、
　前記濃インク組成物中の樹脂の重量割合Ｂ１と顔料の重量割合Ｐ１との比（Ｂ１／Ｐ１）が、前記淡インク組成物中の樹脂の重量割合Ｂ２と顔料の重量割合Ｐ２との比（Ｂ２／Ｐ２）よりも低く、かつ、
　前記濃インク組成物中の樹脂の重量割合Ｂ１と前記淡インク組成物中の樹脂の重量割合Ｂ２とは異なることを特徴とするインクセット。
（・・・中略・・・）
【請求項２３】　インク組成物の液滴を吐出し、該液滴を記録媒体に付着させて印字を行うインクジェット記録方法であって、
　前記インク組成物として、請求の範囲１〜２２のいずれか記載のインクセットのインク組成物を用いることを特徴とするインクジェット記録方法。
【請求項２４】　請求の範囲１〜２２のいずれか記載のインクセットを用いて、インク組成物の液滴を吐出し、該液滴を記録媒体に付着させて印字を行うインクジェット記録方法によって、記録されたことを特徴とする記録物。」
「技術分野
　本発明は、インクセット及びこれを用いたインクジェット記録方法並びに記録物に関し、詳しくは、インクの浸透性及び定着性が良好で、ザラツキのない高品質な画像を得ることのできるインクセット、若しくは耐光性に優れた文字及び／又は画像を得ることのできるインクセットに関する。また、当該インクセットを用いたインクジェット記録方法並びに記録物に関する。
　なお、本発明のインクセットは特にインクジェットによる記録に適用可能であるが、それのみに限定されない。」（第６頁第２〜９行）
「顔料の添加量は、前記濃インク組成物中には、好ましくは１．０〜５．０重量％、更に好ましくは１．５〜４．５重量％であり、前記淡インク組成物中には、好ましくは０．１〜１．５重量％、更に好ましくは０．２〜１．２重量％である。」（第１２頁下から第７〜４行）
　　カ　引用文献Ｄ（特開２００５−９６１９４号公報）には、以下の記載が認められる。
「【００８５】
Ｃ．インクセット
　本発明のインクセットは、前記の通り、カーボンブラック濃度の異なる少なくとも２種の無彩色インク、並びにシアンインク、マゼンタインク、及びイエロインクを含む。また、前記無彩色インクは、淡灰色インクを含む。この淡灰色インクとは、無彩色インクの中でカーボンブラック濃度が最も薄いインクである。
【００８６】
Ｃ−１．無彩色インク
　本発明のインクセットは、無彩色インクとして、少なくとも、
（イ）カーボンブラック濃度が最も低い淡灰色インクと、
（ロ）カーボンブラック濃度が最も高い黒色インクと
を含む。また、本発明の好ましい態様のインクセットは、少なくとも、
（イ）カーボンブラック濃度が最も低い淡灰色インクと、
（ロ）カーボンブラック濃度が中間的な灰色インク（１種又はそれ以上）と、
（ハ）カーボンブラック濃度が最も高い黒色インクと
を含む。
【００８７】
　カーボンブラック濃度が最も低い前記淡灰色インクにおけるカーボンブラック含有量は、その淡灰色インクの全重量に対して、好ましくは０．４重量％以下、特には、０．０１重量％〜０．４重量％以下、好ましくは０．０５重量％〜０．３重量％、より好ましくは、０．１重量％〜０．２５重量％である。
【００８８】
　また、カーボンブラック濃度が中間的な前記灰色インクにおけるカーボンブラック含有量は、その灰色インクの全重量に対して、好ましくは０．４重量％〜１．５重量％、より好ましくは、０．５重量％〜１．２重量％、特には０．６重量％〜１．０重量％である。なお、前記の灰色インクとしては、カーボンブラック含有量０．４重量％〜１重量％の灰色インク及び／又はカーボンブラック含有量１重量％〜１．５重量％の灰色インクを組み合わせて用いることができる。
【００８９】
　カーボンブラック濃度が最も高い前記黒色インクにおけるカーボンブラック含有量は、その黒色インクの全重量に対して、好ましくは１．５重量％〜１０重量％、より好ましくは、１．５重量％〜８重量％である。」
「【００９５】
Ｃ−３．シアンインク及び淡シアンインク
　本発明のインクセットは、シアン着色剤を含むシアンインクを含み、好ましくは更に淡シアンインクを含む。「シアンインク」のシアン着色剤の濃度は、そのインクの全重量に対して好ましくは１．５〜１０重量％、より好ましくは２〜６重量％である。「淡シアンインク」のシアン着色剤の濃度は、そのインクの全重量に対して好ましくは０．０１〜２重量％、より好ましくは０．２〜１．５重量％である。前記シアンインク及び淡シアンインクに含まれることのできるシアン着色剤は、特に限定されるものではないが、例えば、水溶性染料又は水不溶性顔料である。画像の濃度や耐光性及び耐水性に優れる点で、水不溶性の顔料が好ましい。前記シアン着色剤として用いることのできる水溶性染料は、従来のインクに使用されている水溶性染料で他のインク成分添加により、色調の変化や、沈殿物を生成しないものである限り、任意の染料を使用することができる。」
「【００９８】
Ｃ−４．マゼンタインク及び淡マゼンタインク
　本発明のインクセットは、マゼンタ着色剤を含むマゼンタインクを含み、好ましくは更に淡マゼンタインクを含む。「マゼンタインク」のマゼンタ着色剤の濃度は、そのインクの全重量に対して好ましくは１．５〜１０重量％、より好ましくは２〜８重量％である。「淡マゼンタインク」のシアン着色剤の濃度は、そのインクの全重量に対して好ましくは０．０１〜２重量％、より好ましくは０．２〜１．５重量％である。前記マゼンタインク及び淡マゼンタインクに含まれることのできるマゼンタ着色剤は、特に限定されるものではないが、例えば、水溶性染料又は水不溶性顔料である。画像の濃度や耐光性及び耐水性に優れる点で、水不溶性の顔料が好ましい。前記マゼンタ着色剤として用いることのできる水溶性染料は、従来のインクに使用されている水溶性染料で他のインク成分添加により、色調の変化や、沈殿物を生成しないものである限り、任意の染料を使用することができる。」
「【０１０３】
　本発明のインクセットで用いるイエロインクにおけるイエロ着色剤の濃度は、そのインクの全重量に対して約０．５〜８重量％、好ましくは約１〜６重量％であることができる。更に、イエロインクにおけるイエロ着色剤の濃度は、好ましくは前記灰色インクの濃度よりも高い濃度であり、より好ましくは前記黒色インクにおけるカーボンブラック濃度よりも高いか、又は前記黒色インクにおけるカーボンブラック濃度よりも低く、しかも前記灰色インクにおけるカーボンブラック濃度よりも高い濃度である。イエロ着色剤の濃度が、前記灰色インクにおけるカーボンブラック濃度以下の濃度である場合には、必要とするインク量が多くなり、にじみとなってしまうことがある。」
（４）　判断
　　ア　特許法第２９条第２項について
　　（ア）　本件発明１について
　　　　ａ　甲第１号証に記載された発明について
　上記（３）アの記載によれば、甲第１号証には以下の発明（以下「引用発明」という。）が記載されていると認められる。
「黄色の着色料調製物、シアンの着色料調製物、マゼンタの着色料調製物及び黒の着色料調製物を備えたインクジェットインクのセットであって、
　黄色の着色料調製物が、着色料として、モノアゾ顔料、ジスアゾ顔料、イソインドリン顔料またはベンゾイミダゾール顔料、好ましくは、カラーインデックスＰ．Ｙｅｌｌｏｗ　１７、Ｐ．Ｙｅｌｌｏｗ　７４、Ｐ．Ｙｅｌｌｏｗ　８３、Ｐ．Ｙｅｌｌｏｗ　９７、Ｐ．Ｙｅｌｌｏｗ　１２０、Ｐ．Ｙｅｌｌｏｗ　１２８、Ｐ．Ｙｅｌｌｏｗ　１３９、Ｐ．Ｙｅｌｌｏｗ　１５１、Ｐ．Ｙｅｌｌｏｗ　１５５、Ｐ．Ｙｅｌｌｏｗ　１８０またはＰ．Ｙｅｌｌｏｗ　２１３の群からの顔料である着色料調製物であり、
　シアンの着色料調製物の着色料が、フタロシアニン顔料、好ましくは、カラーインデックスＰ．Ｂｌｕｅ　１５、Ｐ．Ｂｌｕｅ　１５：３またはＰ．Ｂｌｕｅ　１５：４の群からの顔料であり、
　マゼンタの着色料調製物の着色料が、キナクリドン顔料、好ましくは、カラーインデックスＰ．Ｒｅｄ　１２２またはＰ．Ｖｉｏｌｅｔ　１９の群からの顔料であるか、または、モノアゾ顔料、ジスアゾ顔料、イソインドリン顔料またはベンゾイミダゾール顔料、好ましくは、カラーインデックスＰ．Ｒｅｄ　５７：１、Ｐ．Ｒｅｄ　１４６、Ｐ．Ｒｅｄ　１７６、Ｐ．Ｒｅｄ　１８４、Ｐ．Ｒｅｄ　１８５またはＰ．Ｒｅｄ　２６９の群からの顔料であり、
　黒の着色料調製物がカーボンブラックを含み
　黄色の着色料調製物に含まれる顔料の含有量が５から５０重量％であり、
　シアンの着色料調製物のフタロシアニン顔料の含有量が５から５０重量％であり、
　マゼンタの着色料調製物のキナクリドン顔料の含有量が５から５０重量％であり、
　黒の着色料調製物のカーボンブラックの含有量が５から５０重量％である、
インクジェットインクのセット」
　　　　ｂ　甲第５号証に記載された事項について
　上記（３）イの記載によれば、甲第５号証には以下の技術事項（以下「甲第５号証に記載された周知の技術事項」という。）が記載されていると認められる。
「Ｐ．Ｙ．２１３（Ｃ．Ｉ．ピグメントイエロー２１３）は、良好な隠蔽力と際だった耐光性及び耐候性を備えた緑色帯びたイエロー顔料であり、高い耐光性及び耐候性が必要などのような場合でも使用される。」
　　　　ｃ　引用文献Ａに記載された事項について
　上記（３）ウの記載によれば、引用文献Ａには以下の技術事項（以下「引用文献Ａに記載された周知の技術事項」という。）が記載されていると認められる。
「印刷画像において耐光性のイエローの色調を生成できるように、濃色イエローインクジェットインクと淡色イエローインクジェットインクを印刷媒体上に適用することができ、一実施形態では、淡色イエローインクジェットインクは、Ｐｉｇｍｅｎｔ　Ｙｅｌｌｏｗ　２１３（Ｃ．Ｉ．ピグメントイエロー２１３）を含む。」
　　　　ｄ　引用文献Ｂに記載された事項について
　上記（３）エの記載によれば、引用文献Ｂには以下の技術事項（以下「引用文献Ｂに記載された周知の技術事項」という。）が記載されていると認められる。
「本発明の顔料組成物は、特に、Ｃ．Ｉ．Ｐｉｇｍｅｎｔ　Ｙｅｌｌｏｗ　２１３（Ｃ．Ｉ．ピグメントイエロー２１３）を含んでいるので、耐光堅牢度が極めて優れている。」
　　　　ｅ　引用文献Ｃに記載された事項について
　上記（３）オの記載によれば、引用文献Ｃには以下の技術事項（以下「引用文献Ｃに記載された周知の技術事項」という。）が記載されていると認められる。
「顔料の添加量は、濃インク組成物中には、好ましくは１．０〜５．０重量％、更に好ましくは１．５〜４．５重量％であり、淡インク組成物中には、好ましくは０．１〜１．５重量％、更に好ましくは０．２〜１．２重量％である。」
　　　　ｆ　引用文献Ｄに記載された事項について
　上記（３）カの記載によれば、引用文献Ｄには以下の技術事項（以下「引用文献Ｄに記載された周知の技術事項」という。）が記載されていると認められる。
「イエロインクにおけるイエロ着色剤の濃度は、そのインクの全重量に対して約０．５〜８重量％、好ましくは約１〜６重量％であることができる。」
　また、上記（３）カの記載によれば、引用文献Ｄには以下の技術事項（以下「引用文献Ｄに記載された公知の技術事項」という。）も記載されていると認められる。
「カーボンブラック含有量を、０．４重量％以下、０．４〜１．５重量％、または、１．５〜１０重量％とすること。」
　　　　ｇ　本件発明１と引用発明との対比・判断
　本件発明１と引用発明とを対比する。
　引用発明の「黄色の着色料調製物」、「シアンの着色料調製物」、「マゼンタの着色料調製物」、「黒の着色料調製物」、「着色料」、「インクジェットインクのセット」は、それぞれ本件発明１の「イエローインク組成物」、「シアンインク組成物」、「マゼンタインク組成物」、「ブラックインク組成物」、「着色剤」、「インクジェット記録用インクセット」に相当する。
　してみると、本件発明１と引用発明とは、
「イエローインク組成物、シアンインク組成物、マゼンタインク組成物及びブラックインク組成物を備えたインクジェット記録用インクセットであって、
　前記シアンインク組成物がＣ．Ｉ．ピグメントブルー１５：３を含み、
　前記マゼンタインク組成物がＣ．Ｉ．ピグメントレッド１２２を含み、
　前記ブラックインク組成物がカーボンブラックを含む、インクセット。」である点で一致し、次の点で相違する。
（相違点１）
　イエローインク組成物における着色剤について、本件発明１が、「Ｃ．Ｉ．ピグメントイエロー２１３を含む」のに対して、引用発明は、「モノアゾ顔料、ジスアゾ顔料、イソインドリン顔料またはベンゾイミダゾール顔料、好ましくは、カラーインデックスＰ．Ｙｅｌｌｏｗ　１７、Ｐ．Ｙｅｌｌｏｗ　７４、Ｐ．Ｙｅｌｌｏｗ　８３、Ｐ．Ｙｅｌｌｏｗ　９７、Ｐ．Ｙｅｌｌｏｗ　１２０、Ｐ．Ｙｅｌｌｏｗ　１２８、Ｐ．Ｙｅｌｌｏｗ　１３９、Ｐ．Ｙｅｌｌｏｗ　１５１、Ｐ．Ｙｅｌｌｏｗ　１５５、Ｐ．Ｙｅｌｌｏｗ　１８０またはＰ．Ｙｅｌｌｏｗ　２１３の群からの顔料」である点。
（相違点２）
　イエローインク組成物に含まれるＣ．Ｉ．ピグメントイエロー２１３の含有量について、本件発明１が、「２〜８重量％」のに対して、引用発明は特定されていない点。
（相違点３）　シアンインク組成物について、本件発明１が、「フタロシアニン顔料としてＣ．Ｉ．ピグメントブルー１５：３を含」むのに対して、引用発明は、「フタロシアニン顔料、好ましくは、カラーインデックスＰ．Ｂｌｕｅ　１５、Ｐ．Ｂｌｕｅ　１５：３またはＰ．Ｂｌｕｅ　１５：４の群からの顔料」である点。
（相違点４）マゼンタインク組成物について、本件発明１が、「キナクリドン顔料としてＣ．Ｉ．ピグメントレッド１２２を含を含」むのに対して、引用発明は、「キナクリドン顔料、好ましくは、カラーインデックスＰ．Ｒｅｄ　１２２またはＰ．Ｖｉｏｌｅｔ　１９の群からの顔料であるか、または、モノアゾ顔料、ジスアゾ顔料、イソインドリン顔料またはベンゾイミダゾール顔料、好ましくは、カラーインデックスＰ．Ｒｅｄ　５７：１、Ｐ．Ｒｅｄ　１４６、Ｐ．Ｒｅｄ　１７６、Ｐ．Ｒｅｄ　１８４、Ｐ．Ｒｅｄ　１８５またはＰ．Ｒｅｄ　２６９の群からの顔料」である点。
　そこで、まず、上記相違点１について検討する。
　上記取消理由に使用した甲第１号証において、上記「Ｃ．Ｉ．ピグメントイエロー２１３（Ｐ．Ｙｅｌｌｏｗ　２１３）」に着目してみると、上記（３）アの【請求項１３】、【００２４】、【００４７】に記載されているように、イエローインク組成物における着色剤（顔料）として列挙されているものの一つであり、その中から選択し得るものといえる。
　しかしながら、甲第１号証の実施例の記載をみても、他の顔料〔Ｐ．Ｙｅｌｌｏｗ　１５５、Ｐ．Ｙｅｌｌｏｗ　１８０、Ｐ．Ｙｅｌｌｏｗ　７４、Ｐ．Ｙｅｌｌｏｗ　１５１）を使用していることもあり、Ｃ．Ｉ．ピグメントイエロー２１３（Ｐ．Ｙｅｌｌｏｗ　２１３）が他のイエローの顔料より特に優れているなどの開示、または示唆は見当たらないものである。
　これに対して、本件発明１の「Ｃ．Ｉ．ピグメントイエロー２１３」について、本件特許明細書を参酌すると、当該Ｃ．Ｉ．ピグメントイエロー２１３（Ｐ．Ｙ．２１３）を含むイエローインク組成物である実施例１の「イエローインクＹ１」についての総合評価が「評価点２４３」であり、これは、例えば、甲第１号証に、イエローの着色剤として列記されている、Ｐ．Ｙｅｌｌｏｗ　１５５（Ｃ．Ｉ．ピグメントイエロー１５５）を含むイエローインク組成物である実施例３の「イエローインクＹ３」についての総合評価が「評価点２７」、同じくＰ．Ｙｅｌｌｏｗ　７４（Ｃ．Ｉ．ピグメントイエロー７４）を含むイエローインク組成物である参考例１の「イエローインクＹ４」についての総合評価が「評価点０」、同じくＰ．Ｙｅｌｌｏｗ　１２８（Ｃ．Ｉ．ピグメントイエロー１２８）を含むイエローインク組成物である参考例２の「イエローインクＹ５」についての総合評価が「評価点９」であるものと比較すると、いずれも評価点で９倍以上であることが理解でき、以上のことから、本件発明１は、イエローインク組成物が、Ｃ．Ｉ．ピグメントイエロー２１３（Ｐ．Ｙ．２１３）を含んでいることによって、耐光性、発色性、及び保存安定性の面で総合的に優れるという顕著な効果を奏するものである。
　そして、甲第１号証においては、上記のとおりの開示にとどまり、また、同じく上記取消理由に使用した引用文献５、引用文献Ａ、及び引用文献Ｂにおいても、Ｃ．Ｉ．ピグメントイエロー１２８が耐光性に優れることのみ記載されているだけであって、上記本件発明１が有する効果である耐光性、発色性、及び保存安定性の面で総合的に優れる点についての開示も示唆も認められない。さらに、同じく上記取消理由に使用した引用文献Ｃ、引用文献Ｄにおいても同様に開示も示唆も認められない。
　したがって、本件発明１は、上記相違点２〜４を検討するまでもなく、引用発明、甲第１号証の記載事項、甲第５号証、引用文献Ａ、Ｂ、Ｃ、及びＤに記載された周知の技術事項、並びに引用文献Ｄに記載された公知の技術事項に基いて当業者が容易に発明をすることができたものではない。
　　　　ｈ　特許異議申立人の主張について
　特許異議申立人は、平成２８年７月１日に提出された意見書第１２頁において、既知のイエロー系顔料＋Ｃ．Ｉ．ピグメントレッド１２２＋Ｃ．Ｉ．ピグメントブルー１５：３＋カーボンブラックの系の四色セットにおいて、Ｃ．Ｉ．ピグメントイエロー２１３を使用した場合には、これらの特性（耐光性、発色性、及び保存安定性）に優れたインクセットが得られることは予測の範囲内であるし、また異質の効果でもない旨述べ、また、新たな証拠として参考資料１〜９を提示しているが、それらの証拠を併せても、耐光性、発色性、及び保存安定性の面で総合的に優れる点についての新たな開示も示唆も認められないことから、特許異議申立人の上記主張は採用できない。
　　（イ）　本件発明２〜７について
　　　ａ　本件発明２は「前記イエローインク組成物に含まれる顔料の含有量が４〜８重量％である」として上記本件発明１をさらに限定した発明であり、本件発明３は「前記イエローインク組成物、前記シアンインク組成物、前記マゼンダインク組成物及び前記ブラックインク組成物は、放射線非硬化型のインク組成物である」として本件発明１または２をさらに限定した発明であり、本件発明４は「前記シアンインク組成物の前記フタロシアニン顔料の含有量は０．１〜１．３重量％であり、前記マゼンダインク組成物の前記キナクリドン顔料の含有量は０．１〜１．３重量％である」として本件発明１〜３のいずれかをさらに限定した発明であり、また、本件発明５は「前記ブラックインク組成物が、そのカーボンブラックの濃度が、１．５重量％以上であるブラックインク組成物、１．５重量％未満〜０．６重量％以上であるブラックインク組成物および０．６重量％未満であるブラックインク組成物からなる群から選択された１種以上を備えた」として本件発明１〜４のいずれかをさらに限定した発明であり、本件発明６は「インク組成物の液滴を吐出し、該液滴を記録媒体に付着させて印刷を行うインクジェット記録方法」として本件発明１〜５のいずれかのインクセットに備えられるインク組成物を用いた発明であり、本件発明７は「記録が行われた記録物」の「インクジェット記録方法」として本件発明６を用いた発明である。
　　　ｂ　よって、本件発明２〜７は、いずれも、本件発明１を直接的または間接的に、さらに限定もしくは引用したものであるから、本件発明１についての理由と同様の理由により、引用発明、甲第１号証の記載事項、甲第５号証、引用文献Ａ、Ｂ、Ｃ、及びＤに記載された周知の技術事項、並びに引用文献Ｄに記載された公知の技術事項に基いて当業者が容易に発明をすることができたものではない。
４　むすび
　以上のとおりであるから、取消理由によっては、本件請求項１〜７に係る特許を取り消すことはできない。
　また、他に本件請求項１〜７に係る特許を取り消すべき理由を発見しない。
　よって、結論のとおり決定する。
【異議決定日】
平成２８年９月２７日（２０１６．９．２７）
【訂正の要旨】
審決（決定）の【理由】欄参照。
（５７）【特許請求の範囲】
　【請求項１】
　イエローインク組成物、シアンインク組成物、マゼンタインク組成物及びブラックインク組成物を備えたインクジェット記録用インクセットであって、
　前記イエローインク組成物が、着色剤とし
てＣ
前記イエローインク組成物に含まれる前記Ｃ．Ｉ．ピグメントイエロー２１３の含有量は２〜８重量％であり、
　前記シアンインク組成物がフタロシアニン顔料
としてＣ．Ｉ．ピグメントブルー１５：３
　前記マゼンタインク組成物がキナクリドン顔料
としてＣ．Ｉ．ピグメントレッド１２２
　前記ブラックインク組成物がカーボンブラックを含む、インクセット。
　【請求項２】
　前記イエローインク組成物に含まれる顔料の含有量が
４
　【請求項３】
　前記イエローインク組成物、前記シアンインク組成物、前記マゼンダインク組成物及び前記ブラックインク組成物は、放射線非硬化型のインク組成物である、請求項１または２に記載のインクセット。
　【請求項４】
　前記シアンインク組成物の前記フタロシアニン顔料の含有量は０．１〜１．３重量％であり、前記マゼンダインク組成物の前記キナクリドン顔料の含有量は０．１〜１．３重量％である、請求項１〜３のいずれか１項に記載のインクセット。
　【請求項５】
　前記ブラックインク組成物が、そのカーボンブラックの濃度が、１．５重量％以上であるブラックインク組成物、１．５重量％未満〜０．６重量％以上であるブラックインク組成物および０．６重量％未満であるブラックインク組成物からなる群から選択された１種以上を備えた、請求項１〜４のいずれか１項に記載のインクセット。
　【請求項６】
　インク組成物の液滴を吐出し、該液滴を記録媒体に付着させて印刷を行うインクジェット記録方法であって、該インク組成物として、請求項１〜５のいずれか１項に記載のインクセットに備えられるインク組成物を用いるインクジェット記録方法。
　【請求項７】
　請求項６に記載のインクジェット記録方法によって記録が行われた記録物。